(57)【要約】【課題】  ユーザが設定したモバイル機器の状態情報によってサーバが命令メッセージを作成し、モバイル機器が作成された命令メッセージに対する認証を実行することによって、認証されたメッセージだけによりモバイル機器を制御できる電子署名を利用するモバイル機器の制御システム及び方法を提供すること。【解決手段】  ユーザが設定したモバイル機器の状態情報によって該当モバイル機器に対する命令メッセージを作成し、作成された命令メッセージに電子署名を追加して転送するサーバと、サーバから転送された命令メッセージの認証を実行し、認証された命令メッセージによってモバイル機器のパワーオフ、ログオン及びログオフ動作を行うモバイル機器とを備える。これにより、ユーザが設定したモバイル機器の状態情報によって、サーバが命令メッセージを作成し、モバイル機器に転送すれば、モバイル機器は、転送された命令メッセージに対する認証を実行することによって、認証されたメッセージだけによりモバイル機器を制御できるという効果がある。【選択図】  図１
2005065222.tif 000002
【特許請求の範囲】
【請求項１】
ユーザが設定したモバイル機器の状態情報に従って該当モバイル機器に対する命令メッセージを作成し、作成された命令メッセージに電子署名を追加して転送することを特徴とするサーバ。
【請求項２】
前記命令メッセージは、モバイル機器の動作命令、固有番号、電子署名及びシーケンス番号を含むことを特徴とする請求項１に記載のサーバ。
【請求項３】
モバイル機器の情報及びユーザが設定したモバイル機器の状態情報を格納するデータベース部と、
前記モバイル機器に対する認証を処理する第１の認証部と、
ユーザが設定したモバイル機器の状態情報に従って命令メッセージを作成し、作成されたメッセージを転送するように制御する第１の制御部と、
を備えることを特徴とする請求項１に記載のサーバ。
【請求項４】
サーバから転送された命令メッセージの認証を実行し、前記認証された命令メッセージに従ってモバイル機器のパワーオフ、ログオン及びログオフ動作を行うことを特徴とするモバイル機器。
【請求項５】
前記命令メッセージは、モバイル機器に対する動作命令、モバイル機器の固有番号及び前記認証のための電子署名を含むことを特徴とする請求項４に記載のモバイル機器。
【請求項６】
前記サーバから転送された命令メッセージに対する認証を実行する第２の認証部と、
前記サーバにログオンメッセージを要求し、前記サーバから転送された命令メッセージに従ってモバイル機器のパワーオフ、ログオン及びログオフ動作を制御する第２の制御部と、
を備えることを特徴とする請求項４に記載のモバイル機器。
【請求項７】
ユーザが設定したモバイル機器の状態情報に従って該当モバイル機器に対する命令メッセージを作成し、作成された命令メッセージに電子署名を追加して転送するサーバと、
前記サーバから転送された命令メッセージの認証を実行し、前記認証された命令メッセージに従ってモバイル機器のパワーオフ、ログオン及びログオフ動作を行うモバイル機器と、
を備えることを特徴とする電子署名を利用するモバイル機器の制御システム。
【請求項８】
モバイル機器からログオン要求メッセージを転送するステップと、
前記ユーザが設定したモバイル機器の状態がログオンを許可した状態である場合、サーバはログオン許可メッセージを作成し、前記ユーザが設定したモバイル機器の状態がログオンを許可しない状態である場合、サーバはログオン不可メッセージを作成し、モバイル機器に転送するステップと、
を含むことを特徴とする電子署名を利用するモバイル機器の制御方法。
【請求項９】
前記メッセージは、モバイル機器に対する動作命令、モバイル機器の固有番号及び認証のための電子署名を含むことを特徴とする請求項８に記載の電子署名を利用するモバイル機器の制御方法。
【請求項１０】
モバイル機器のパワーオン時、サーバにログオンメッセージを要求するステップと、
ユーザが設定したモバイル機器の状態情報に従って作成された命令メッセージを前記サーバから転送するステップと、
前記転送された命令メッセージの認証を実行するステップと、
前記命令メッセージの認証が完了した後、前記メッセージがログオンを許可している内容であれば、モバイル機器のログオンを行い、前記メッセージがログオンを許可していない内容であれば、モバイル機器のログオンを行わないステップと、
を含むことを特徴とする電子署名を利用するモバイル機器の制御方法。
【請求項１１】
前記ログオンメッセージを要求するステップは、前記モバイル機器がセキュリティログオンモードに設定されている場合に行われることを特徴とする請求項１０に記載の電子署名を利用するモバイル機器の制御方法。
【請求項１２】
前記セキュリティログオンモードの設定は、
前記ユーザのパワーオフ要求に従ってサーバが作成したパワーオフメッセージを転送するステップと、
前記サーバから転送されたパワーオフメッセージの認証を実行するステップと、
前記命令メッセージの認証が完了すれば、モバイル機器のパワーをオフするステップと、
前記モバイル機器のパワーオフ時、モバイル機器のモードをセキュリティログオンモードに設定するステップと、
により行われることを特徴とする請求項１１に記載の電子署名を利用するモバイル機器の制御方法。
【請求項１３】
前記命令メッセージの認証が完了すれば、モバイル機器のパワーをオフするステップは、
前記モバイル機器のパワーがオフになると、前記サーバにパワーオフ完了メッセージを転送するステップをさらに含むことを特徴とする請求項１２に記載の電子署名を利用するモバイル機器の制御方法。
【請求項１４】
前記命令メッセージは、モバイル機器に対する動作命令、モバイル機器の固有番号及び前記認証のための電子署名を含むことを特徴とする請求項１０に記載の電子署名を利用するモバイル機器の制御方法。
【発明の詳細な説明】
【技術分野】
【０００１】
本発明は、電子署名を利用するモバイル機器の制御システム及び方法に関し、より詳しくは、ユーザが設定したモバイル機器の状態情報によって、サーバが命令メッセージを作成し、作成された命令メッセージにより該当モバイル機器を制御できる、電子署名を利用するモバイル機器の制御システム及び方法に関するものである。
【背景技術】
【０００２】
一般に、携帯端末を紛失した場合、紛失した携帯端末に制御信号を転送し、携帯端末の電源をオフさせたり、携帯端末をロック状態に変更させたりすることによって、第３者が携帯端末を使用することを防ぐことができ、携帯端末に格納された情報が流出することを防止することができる。
【０００３】
しかし、従来の携帯端末の遠隔制御方法は、携帯端末の制御を要求した主体を確認できないため、使用権限のない第３者が勝手に制御する恐れがあるという問題点がある。
【０００４】
特許文献１（インターネットを利用した携帯電話遠隔制御方法）は携帯電話を紛失したユーザーがインターネットを通じてサービス業体サーバで携帯電話でロックしコード及び電源オフコードを伝送して携帯電話の電源をオフ言いつけたりロックし状態で作って携帯電話盗難時情報保護であるが不法使用を防ぐ方法を開始しているが、これは携帯電話の制御を求めた主体を確認するなさだから使用権限がない第３字によって望まなかった制御を受けるある問題点がある。
【特許文献１】韓国公開特許第２００３−００８２４３号
【発明の開示】
【発明が解決しようとする課題】
【０００５】
本発明は、上記問題点に鑑みなされたものであり、ユーザが設定したモバイル機器の状態情報に従って、サーバが命令メッセージを作成し、モバイル機器が作成された命令メッセージに対する認証を実行することによって、認証されたメッセージのみによりモバイル機器を制御できる電子署名を利用するモバイル機器の制御システム及び方法を提供することを目的とする。
【課題を解決するための手段】
【０００６】
上記の目的を達成するため、本発明の一実施の形態によるモバイル機器の制御システムは、ユーザが設定したモバイル機器の状態情報によって該当モバイル機器に対する命令メッセージを作成し、作成された命令メッセージに電子署名を追加して転送するサーバを備え、前記命令メッセージは、モバイル機器の動作命令、固有番号、電子署名及びシーケンス番号を含み、また、前記サーバは、モバイル機器の情報及びユーザが設定したモバイル機器の状態情報を格納するデータベース部と、前記モバイル機器に対する認証を処理する第１の認証部と、ユーザが設定したモバイル機器の状態情報によって命令メッセージを作成し、作成されたメッセージを転送するように制御する第１の制御部と、を備える。
【０００７】
また、本発明の一実施の形態によるモバイル機器の制御システムは、サーバから転送された命令メッセージの認証を実行し、前記認証された命令メッセージによってモバイル機器のパワーオフ、ログオン及びログオフ動作を行うモバイル機器を備え、前記命令メッセージは、モバイル機器に対する動作命令、モバイル機器の固有番号及び前記認証のための電子署名を含み、また、前記モバイル機器は、前記サーバから転送された命令メッセージに対する認証を実行する第２の認証部と、前記サーバにログオンメッセージを要求し、前記サーバから転送された命令メッセージによってモバイル機器のパワーオフ、ログオン及びログオフ動作を制御する第２の制御部と、を備える。
【０００８】
また、本発明の一実施の形態によるモバイル機器の制御方法は、モバイル機器からログオン要求メッセージを転送するステップと、前記ユーザが設定したモバイル機器の状態がログオンを許可した状態である場合、サーバが、ログオン許可メッセージを作成し、前記ユーザが設定したモバイル機器の状態がログオンを許可しない状態である場合、サーバが、ログオン不可メッセージを作成し、モバイル機器に転送するステップと、を含み、前記メッセージは、モバイル機器に対する動作命令、モバイル機器の固有番号及び前記認証のための電子署名を含む。
【０００９】
また、本発明の一実施の形態によるモバイル機器の制御方法は、モバイル機器のパワーオン時、サーバにログオンメッセージを要求するステップと、ユーザが設定したモバイル機器の状態情報によって作成された命令メッセージを前記サーバから転送するステップと、前記転送された命令メッセージの認証を実行するステップと、前記命令メッセージの認証が完了した後、前記メッセージがログオンを許可している内容であれば、モバイル機器のログオンを行い、前記メッセージがログオンを許可していない内容であれば、モバイル機器のログオンを行わないステップと、を含む。
【００１０】
また、前記ログオンメッセージを要求するステップは、前記モバイル機器がセキュリティログオンモードに設定されている場合に行われることを特徴とし、前記セキュリティログオンモードの設定は、前記ユーザのパワーオフ要求によってサーバが作成したパワーオフメッセージを転送するステップと、前記サーバから転送されたパワーオフメッセージの認証を実行するステップと、前記命令メッセージの認証が完了すれば、モバイル機器のパワーをオフするステップと、前記モバイル機器のパワーオフ時、モバイル機器のモードをセキュリティログオンモードに設定するステップと、により行われることを特徴とする。
【発明の効果】
【００１１】
このような本発明によれば、ユーザが設定したモバイル機器の状態情報によって、サーバが命令メッセージを作成し、モバイル機器に転送すれば、モバイル機器は、転送された命令メッセージに対する認証を実行することによって、認証されたメッセージのみによりモバイル機器を制御できるようになる効果がある。
【００１２】
また、ユーザがモバイル機器のパワーオフを要求すれば、セキュリティログオンモードを設定した状態でモバイル機器のパワーをオフすることによって、モバイル機器を獲得した第３者がモバイル機器のログオンを行う場合、電子署名による認証を実行した後、モバイル機器をログオンすることによって、モバイル機器に暗号化またはロック（lock）機能を設定しない状態でも第３者のモバイル機器使用を制限できるという効果がある。
【発明を実施するための最良の形態】
【００１３】
以下、添付の図面を参照して本発明の好ましい実施例を詳細に説明する。
【００１４】
図１は、本発明による電子署名を利用するモバイル機器の制御システムを概略的に示す図であり、第１の送受信部１１０、データベース部１２０、第１の認証部１３０及び第１の制御部１４０を備えるサーバ１００と、第２の送受信部２１０、ログオン処理部２２０、電源部２３０、第２の認証部２４０及び第２の制御部２５０を備えるモバイル機器２００と、で構成される。
【００１５】
サーバ１００は、ユーザが設定したモバイル機器の状態情報に従って該当モバイル機器２００に対する命令メッセージを作成し、作成された命令メッセージに電子署名を追加して転送する。
【００１６】
第１の送受信部１１０は、第１の制御部１４０で作成した命令メッセージをモバイル機器２００に転送し、モバイル機器２００から転送されたログオン要求メッセージを受信する。ここで、第１の送受信部１１０は、メッセージを送受信するＭＭＳ処理部と、無線インターネットを介して情報を送受信するＨＴＴＰ処理部と、を備える。
【００１７】
データベース部１２０は、モバイル機器２００の情報及びユーザが設定したモバイル機器２００の状態情報を格納する。ここで、データベース部１２０は、モバイル機器２００の固有番号、一連番号、状態情報及びその他の情報などを格納する。ここで、状態情報とは、現在のモバイル機器２００の状態を示す情報であって、例えば、モバイル機器２００の紛失状況によってユーザがモバイル機器２００の状態をパワーオフに設定した情報、又はモバイル機器２００の状態をログオン／オフに設定した情報などをいう。
【００１８】
第１の認証部１３０は、モバイル機器２００の認証を処理するものである。ここで、第１の認証部１３０は、サーバに対する電子署名（Digital Signature）及び認証書（Certificate）を提供することによって、サーバ１００の正当性を保障及び確認する。すなわち、電子署名は、電子文書を作成した者の身元が真の本人であることを証明するために使われる署名であって、伝達された電子文書の元来の内容が変更されなかったことを保証するために使われる署名である。前記電子署名を使用することによって、電子文書を容易に転送することができ、他人の偽造が不可能であり、タイムスタンプが自動に維持され得るという長所がある。ここで、電子署名は、ＲＳＡ（Rivest-Shamir-Adleman）電子署名及びＥＣＤＳＡ（Elliptic Curve Digital Signature Algorithm）電子署名などと理解することができる。また、認証書は、ユーザの確認のためのもので、電子署名検証キーとこれを所有する自然人又は法人との帰属関係などを認証機関が確認証明した電子的情報であって、私設又は公認された認証機関（Certification Authority）で発給し、ユーザの公開キー及び発行者の名前などの情報やその他の情報を認証機関の署名キー（Key）で電子署名したものである。
【００１９】
第１の制御部１４０は、ユーザが設定したモバイル機器２００の状態情報に従って命令メッセージを作成し、作成されたメッセージをモバイル機器２００に転送するように制御するものである。例えば、ユーザがモバイル機器２００を紛失した場合には、モバイル機器２００の状態情報をパワーオフ（power off）に設定し、ユーザが紛失したモバイル機器２００を探した場合には、モバイル機器２００の状態情報をログオン（Log On許可）に設定する。また、命令メッセージは、モバイル機器２００の動作を制御するメッセージであって、モバイル機器の動作命令、固有番号、シーケンス番号、電子署名及び認証書を含む。
【００２０】
モバイル機器２００は、サーバ１００から転送された命令メッセージの認証を実行し、前記認証された命令メッセージによってパワーオフ及びログオン／オフ動作を行い、パワーオフ時、セキュリティログオンモードを実行する。また、モバイル機器２００のパワーオン時、サーバ１００にログオンメッセージを転送する。ここで、セキュリティログオンモードとは、認証を受けたサーバ１００がログオン許可メッセージを転送した場合にのみ、モバイル機器２００がログオンとなるようにするモードを言い、ログオンメッセージとは、サーバ１００にログオンを許可するか否かを問い合せするメッセージを言う。また、モバイル機器２００は、スマートフォン、携帯電話、ＰＤＡ及びポケットＰＣなどと理解することができる。
【００２１】
第２の送受信部２１０は、サーバ１００から転送される命令メッセージを受信し、サーバ１００にモバイル機器２００のログオンメッセージを転送する。ここで、第２の送受信部１１０は、メッセージを送受信するＭＭＳ処理部と、無線インターネットを介して情報を送受信するＨＴＴＰ処理部と、を備える。
【００２２】
ログオン処理部２２０は、モバイル機器２００に対するログオンを行うものであり、例えば、サーバ１００からログオン許可メッセージが転送された場合、モバイル機器２００をログオンさせる。
【００２３】
電源部２３０は、モバイル機器２００に対するパワーオン／オフを行うものであり、例えば、サーバ１００からパワーオフメッセージが転送された場合、モバイル機器をパワーオフさせる。
【００２４】
第２の認証部２４０は、サーバ１００から転送されたメッセージに対する認証を処理するものであり、第１の認証部１３０を介して転送された電子署名を復号化した後、電子署名に対する確認作業を行い、サーバ１００に対する認証を処理する。
【００２５】
第２の制御部２５０は、サーバ１００にログオンメッセージを要求し、前記サーバから転送された命令メッセージによる動作を行うことにより、モバイル機器２００を制御するものであり、すなわちサーバ１００から命令メッセージが転送されれば、第２の認証部２４０によりメッセージの認証を実行し、これにより検証が完了すれば、転送されたメッセージの命令に従って、電源部２３０を制御してモバイル機器２００の電源をパワーオフさせたり、ログオン処理部２２０を制御してモバイル機器２００をログオン又はログオフさせる。
【００２６】
図２は、本発明による電子署名を利用するモバイル機器の制御方法においてモバイル機器のパワーをオフさせる方法を概略的に示すフローチャートであり、まず、ユーザがモバイル機器２００を紛失した場合、サーバ１００に自分のモバイル機器２００がパワーオフとなるように要求する（Ｓ１００）。
【００２７】
ユーザからパワーオフの要求を受けたサーバ１００は、パワーオフメッセージを作成し、モバイル機器２００に転送する（Ｓ１０２）。ここで、パワーオフメッセージは、モバイル機器２００のパワーオフ動作命令、固有番号、シーケンス番号、電子署名及び認証書を含む。
【００２８】
次に、サーバ１００の第１の制御部１４０が、電子署名及び認証書を含むパワーオフメッセージを作成し、モバイル機器２００に転送すれば、第２の送信部２１０は、サーバ１００から転送されたメッセージを受信し、第２の制御部２５０に転送する。
【００２９】
これにより、第２の制御部２５０は、第２の認証部２４０により、転送されたメッセージの認証を実行する（Ｓ１０４）。すなわち、転送されたメッセージに含まれている電子署名及び認証書を復号化し、復号化した情報に対する確認作業を行い、検証を処理する。この時、まず、転送されたメッセージ内のモバイル機器２００の固有番号と、モバイル機器２００のメモリ部（図示せず）に格納されている固有番号とを比べ、比較の結果、固有番号が一致すれば、次いで、転送されたメッセージ内の電子署名を検証する。ここで、電子署名の検証は、第２の認証部２４０に格納されている認証書を用いて行われる。
【００３０】
この後、認証実行による検証が完了すれば（Ｓ１０６）、第２の認証部２４０は、検証結果を第２の制御部２５０に転送し、第２の制御部２５０は、転送されたメッセージ内容によってモバイル機器２００のパワーをオフさせる。この際、第２の制御部２５０は、モバイル機器２００のモードをセキュリティログオンモードに設定した後、電源部２３０がモバイル機器２００のパワーをオフするように制御する（Ｓ１０８）。
【００３１】
次に、モバイル機器２００がパワーオフになると、第２の制御部２５０は、サーバ１００にパワーオフ完了メッセージを転送する。この際、サーバ１００に、モバイル機器２００から設定された一定時間内にパワーオフ完了メッセージが転送されない場合、ステップＳ１０２乃至ステップＳ１０８をさらに行う。ここで、一定時間の設定及びステップＳ１０２乃至ステップＳ１０８の反復実行回数は、ユーザまたはサーバ１００が任意に設定することができる。
【００３２】
一方、設定された回数で反復実行した後にも、サーバ１００にモバイル機器２００からパワーオフ完了メッセージが転送されない場合、ユーザにモバイル機器２００のパワーオフ実行可否を再確認する。これにより、ユーザがモバイル機器２００のパワーオフを再要求すれば、サーバ１００は、ステップＳ１０２乃至ステップＳ１０８をさらに行う。
【００３３】
図３は、本発明による電子署名を利用するモバイル機器の制御方法を概略的に示すフローチャートであり、まず、モバイル機器２００がパワーオンになると（Ｓ２００）、第２の制御部２５０は、サーバ１００にログオン要求メッセージを転送し、モバイル機器２００のログオンの可否に対するメッセージを要求する（Ｓ２０２）。ここで、第２の制御部２５０は、ログオン要求メッセージを作成し、第２の送受信部２１０を介してサーバ１００に転送する。この際、第２の制御部２５０が作成したメッセージは、モバイル機器２００のログオン要求内容及びモバイル機器２００の固有番号を含む。
【００３４】
ここで、モバイル機器２００がパワーオンになる時、前記モバイル機器２００は、セキュリティログオンモードに設定されていると仮定する。
【００３５】
この後、第１の送受信部１１０は、モバイル機器２００から転送されたログオン要求メッセージを受信し、第１の制御部１４０に転送し、これにより、第１の制御部１４０は、データベース部１２０でユーザが設定したモバイル機器２００の状態情報を抽出して、該当モバイル機器２００の状態をチェックし（Ｓ２０４）、モバイル機器の状態情報に従って命令メッセージを作成する。
【００３６】
すなわち、ユーザが設定したモバイル機器２００の状態がログオンを許可した状態である場合、第１の制御部１４０は、ログオン許可メッセージを作成し、モバイル機器２００に転送し（Ｓ２０６、Ｓ２０８）、仮りにユーザが設定したモバイル機器２００の状態がログオンを許可しない状態である場合には、第１の制御部１４０は、ログオン不可メッセージを作成し、モバイル機器２００に転送する（Ｓ２１０）。ここで、第１の制御部１４０が転送するメッセージは、モバイル機器２００の動作命令、固有番号、電子署名及びシーケンス番号を含む。ここで、モバイル機器２００の動作命令とは、ログオン許可／不可に対する動作命令のことを言い、固有番号とは、モバイル機器の固有な番号（例えば、スマートフォンである場合、自分の電話番号（すなわち、０１１−ｘｘｘ−ｘｘｘｘ））のことを言い、電子署名は、メッセージを送るサーバ１００の安全性及び信頼性を確認するものであり、シーケンス番号は、第１の制御部１４０が転送するメッセージが重複して転送されるか否かを判断するために使われるものであり、第１の制御部１４０が任意に設定するものである。
【００３７】
次に、サーバ１００の第１の制御部１４０が電子署名及び認証書を含むメッセージを作成し、モバイル機器２００に転送すれば、第２の送信部２１０は、サーバ１００から転送されたメッセージを受信し、第２の制御部２５０に転送する。
【００３８】
これにより、第２の制御部２５０は、第２の認証部２４０により、転送されたメッセージの認証を実行する（Ｓ２１２）。すなわち、転送されたメッセージに含まれている電子署名及び認証書を復号化し、復号化した情報に対する確認作業を行い、検証を処理する。この時、まず、転送されたメッセージ内のモバイル機器２００の固有番号と、モバイル機器２００のメモリ部（図示せず）に格納されている固有番号とを比べ、比較の結果、固有番号が一致すれば、次いで、転送されたメッセージ内の電子署名を検証する。ここで、電子署名の検証は、第２の認証部２４０に格納されている認証書を用いて行われる。
【００３９】
この後、認証実行による検証が完了すれば（Ｓ２１４）、第２の認証部２４０は、検証結果を第２の制御部２５０に転送し、第２の制御部２５０は、サーバ１００から転送されたメッセージ内容による動作命令に従ってモバイル機器２００を動作させる。仮りに、転送されたメッセージの動作命令がモバイル機器２００のログオンを許可するメッセージである場合には、モバイル機器２００のログオンを行い（Ｓ２１６、Ｓ２１８）、転送されたメッセージの動作命令がモバイル機器２００のログオンを許可しないメッセージである場合には、モバイル機器２００のログオンを行わない。
【００４０】
一方、モバイル機器２００がセキュリティモードでログオンになると、ユーザは、設定されたセキュリティログオンモードをそのまま維持することができ、又はセキュリティ機能を解除して使用することもできる。
【００４１】
図４は、本発明による一実施例において命令メッセージを示す図であり、ここで、命令メッセージとは、モバイル機器２００のパワーオフ及びログオン許可／不可に対する実行を命令するメッセージのことを言う。
【００４２】
図示のように、パワーオフメッセージは、パワーオフを命令するメッセージ、モバイル機器２００の固有番号（例えば、スマートフォンＩＤ）及びシーケンス番号（またはラムダム番号）を含み、パワーオフメッセージの転送時には、サーバ１００が署名した電子署名及びそれを認証する認証書を含んで転送される。ここで、モバイル機器２００の固有番号とは、スマートフォンである場合、該当電話番号のことを言い、シーケンス番号とは、作成したメッセージが盗用されることを防止するために、各メッセージ毎にランダムに設定した番号のことを言う。
【００４３】
また、ログオン要求メッセージは、モバイル機器２００のログオンを要求するメッセージと、モバイル機器２００の固有番号と、を含む。
【００４４】
また、ログオン許可／不可メッセージは、モバイル機器２００のログオンを許可する／許可しないメッセージ、モバイル機器２００の固有番号及びシーケンス番号を含み、ログオン許可／不可メッセージの転送時には、サーバ１００が署名した電子署名及びそれを認証する認証書を含んで転送される。
【００４５】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとって、他の多くの変更が可能であろう。また、本発明は、添付の特許請求の範囲により解釈されるべきであることは言うまでもない。
【図面の簡単な説明】
【００４６】
【図１】本発明に係る電子署名を利用するモバイル機器の制御システムを概略的に示すブロック図である。
【図２】本発明に係る電子署名を利用するモバイル機器の制御方法においてモバイル機器のパワーをオフさせる過程を概略的に示すフローチャートである。
【図３】本発明に係る電子署名を利用するモバイル機器の制御方法を概略的に示すフローチャートである。
【図４】本発明に係る一実施例において命令メッセージの構造を示す図である。
【符号の説明】
【００４７】
１００  サーバ
１１０  第１の送受信部
１２０  データベース部
１３０  第１の認証部
１４０  第１の制御部
２００  モバイル機器
２１０  第２の送受信部
２２０  ログオン処理部
２３０  電源部
２４０  第２の認証部
２５０  第２の制御部
【図１】
2005065222.tif 000003
【図２】
2005065222.tif 000004
【図３】
2005065222.tif 000005
【図４】
2005065222.tif 000006